(57)【特許請求の範囲】
【請求項１】
複数のデータラインが形成される液晶表示パネルと、
前記複数のデータラインに供給されるブラック輝度データの画素数とホワイト輝度データの画素数を検出するための輝度検出手段と、
互いにレベルが異なる複数の共通電圧を生成するための第１ないし第ｎの共通電圧生成部を含む共通電圧供給手段と、
前記輝度検出手段により検出された前記ブラック輝度データと前記ホワイト輝度データとの画素数の大小を１フレームの間比較し、比較の結果によって前記複数のデータラインに供給される前記ブラック輝度データのレベルまたは前記ホワイト輝度データのレベルを基準として、前記複数の共通電圧中、一つの共通電圧を選択する機能を制御するための制御手段と、
前記制御手段により選択的にスイッチされる第１ないし第ｎのスイッチを備え、前記制御手段により複数の共通電圧中、一つの共通電圧を前記液晶表示パネルに提供するスイッチ部と、
前記液晶表示パネルからのフィードバック共通電圧の提供を受け前記スイッチ部により選択された共通電圧により補償する共通電圧補償手段と
を含み、
前記複数の共通電圧は、前記ブラック輝度データのドロップ電圧を防止するために、前記ブラック輝度データのレベルに対応する互いに異なるレベルを有する複数の共通電圧と、前記ホワイト輝度データのドロップ電圧を防止するために、前記ホワイト輝度データのレベルに対応する互いに異なるレベルを有する複数の共通電圧とを含み、
前記所定のルックアップテーブルには、前記ブラック輝度データのレベル及びホワイト輝度データのレベルと、前記複数の共通電圧と対応する前記第１ないし第ｎのスイッチに関する情報を含み、
前記制御手段は、前記液晶表示パネルに供給するための共通電圧を前記所定のルックアップテーブルから読み取ると同時にスイッチに関する情報も共に読み取り、
前記輝度検出手段により検出されたホワイト輝度データの画素数が前記輝度検出手段により検出されたブラック輝度データの画素数より大きいかまたは同一であるとき、前記制御手段は、前記ホワイト輝度データのドロップ電圧を防止するためにホワイト輝度データのレベルを基準として共通電圧を選択するように前記スイッチ部を制御し、
前記輝度検出手段により検出されたブラック輝度データの画素数が前記輝度検出手段により検出されたホワイト輝度データの画素数より大きいとき、前記制御手段は、前記ブラック輝度データのドロップ電圧を防止するためにブラック輝度データのレベルを基準として共通電圧を選択するように前記スイッチ部を制御する
ことを特徴とする液晶表示素子の駆動装置。
【請求項２】
前記第１ないし第ｎのスイッチは、前記第１ないし第ｎの共通電圧生成部の出力端子にそれぞれ接続された
ことを特徴とする請求項１に記載の液晶表示素子の駆動装置。
【請求項３】
前記制御手段は、前記所定のルックアップテーブルに構築された複数の共通電圧のレベルのうち、前記輝度検出手段により検出されたブラック輝度データのレベルと対応して設定された共通電圧のレベルが、前記液晶表示パネルに供給されるように、前記ｎ個のスイッチのスイッチングを択一的に制御することを特徴とする請求項１に記載の液晶表示素子の駆動装置。
【請求項４】
前記制御手段は、前記所定のルックアップテーブルに構築された複数の共通電圧のレベルのうち、前記輝度検出手段により検出されたホワイト輝度データのレベルと対応して設定された共通電圧のレベルが、前記液晶表示パネルに供給されるように、前記ｎ個のスイッチのスイッチングを択一的に制御することを特徴とする請求項１に記載の液晶表示素子の駆動装置。
【請求項５】
液晶表示パネルに形成された複数のデータラインに、ブラック輝度データとホワイト輝度データを供給するステップと、
相異なるレベルの第１〜第ｎまでのｎ個の共通電圧(ｎは、２以上の自然数)を第１〜第ｎまでのｎ個の共通電圧発生部を用いて発生するステップと、
前記複数のデータラインに供給されるブラック輝度データの画素数とホワイト輝度データの画素数とを検出するステップと、
制御手段を用いて、前記検出したブラック輝度データとホワイト輝度データとの画素数の大小を１フレームの間比較し、比較の結果によって、前記複数のデータラインに供給される前記ブラック輝度データのレベルまたは前記ホワイト輝度データのレベルを基準として、第１ないし第ｎの共通電圧レベルを選択的に前記液晶表示パネルに供給するステップと、
前記液晶表示パネルからのフィードバック共通電圧を基準として、前記ｎ個の共通電圧を補償し、補償された当該共通電圧を前記液晶表示パネルに供給するステップと
を含み、
前記複数の共通電圧は、前記ブラック輝度データのドロップ電圧を防止するために、前記ブラック輝度データのレベルに対応する互いに異なるレベルを有する複数の共通電圧と、前記ホワイト輝度データのドロップ電圧を防止するために、前記ホワイト輝度データのレベルに対応する互いに異なるレベルを有する複数の共通電圧とを含み、
前記所定のルックアップテーブルには、前記ブラック輝度データのレベル及びホワイト輝度データのレベルと、前記複数の共通電圧と対応する前記第１ないし第ｎのスイッチに関する情報を含み、
前記制御手段は、前記液晶表示パネルに供給するための共通電圧を前記所定のルックアップテーブルから読み取ると同時にスイッチに関する情報も共に読み取り、
前記第１ないし第ｎの共通電圧レベルを選択的に前記液晶表示パネルに供給するステップは、前記検出されたホワイト輝度データの画素数が前記検出されたブラック輝度データの画素数より大きいかまたは同一であるとき、前記ホワイト輝度データのドロップ電圧を防止するために前記ホワイト輝度データのレベルを基準として共通電圧を選択することを制御し、前記検出されたブラック輝度データの画素数が前記検出されたホワイト輝度データの画素数より大きいとき、前記ブラック輝度データのドロップ電圧を防止するために前記ブラック輝度データのレベルを基準として共通電圧を選択することを制御する段階をさらに含む
ことを特徴とする液晶表示素子の駆動方法。
【請求項６】
前記第１ないし第ｎの共通電圧レベルを選択的に前記液晶表示パネルに供給するステップにおいて、前記所定のルックアップテーブルに構築された前記ｎ個の共通電圧のレベルのうち、前記検出されたブラック輝度データのレベルと対応して設定された共通電圧のレベルを、前記液晶表示パネルに供給することを特徴とする請求項５に記載の液晶表示素子の駆動方法。
【請求項７】
前記第１ないし第ｎの共通電圧レベルを選択的に前記液晶表示パネルに供給するステップにおいて、前記所定のルックアップテーブルに構築された前記ｎ個の共通電圧のレベルのうち、前記検出されたホワイト輝度データのレベルと対応して設定された共通電圧のレベルを前記液晶表示パネルに供給することを特徴とする請求項５に記載の液晶表示素子の駆動方法。
【発明の詳細な説明】
【技術分野】
【０００１】
本発明は、液晶表示素子の駆動装置及び駆動方法に関し、特に、液晶表示パネルに供給されるブラック輝度データ、または、ホワイト輝度データを基準として、相異なるレベルの共通電圧を選択的に供給することができる液晶表示素子の駆動装置及び方法に関する。
【背景技術】
【０００２】
液晶表示素子は、ビデオ信号に応じて、液晶セルの光透過率を調節することで画像などを表示している。液晶セル毎にスイッチング素子が形成されているアクティブマトリックス(Ａｃｔｉｖｅ  Ｍａｔｒｉｘ)型の液晶表示素子は、スイッチング素子の能動的な制御が可能であるため、動画の具現に有利である。このようなアクティブマトリックス方式の液晶表示素子に使用されるスイッチング素子としては、図１のように、薄膜トランジスタ(Ｔｈｉｎ  Ｆｉｌｍ  Ｔｒａｎｓｉｓｔｏｒ；以下 “ＴＦＴ”と言う)が利用されている。
【０００３】
図１を参照すれば、アクティブマトリックス方式の液晶表示素子は、デジタル入力データをガンマ基準電圧を基準として、アナログデータ電圧に変換してデータラインＤＬに供給すると共に、スキャンパルスをゲートラインＧＬに供給して液晶セルＣｌｃを充電させる。
【０００４】
ＴＦＴのゲート電極は、ゲートラインＧＬに接続され、ソース電極は、データラインＤＬに接続され、ＴＦＴのドレーン電極は、液晶セルＣｌｃの画素電極とストレージキャパシタＣｓｔの一側電極に接続される。
液晶セルＣｌｃの共通電極には、共通電圧Ｖｃｏｍが供給される。
ストレージキャパシタＣｓｔは、ＴＦＴがターンオンされる時、データラインＤＬから印加されるデータ電圧を充電し、液晶セルＣｌｃの電圧を一定に保持する役割を果たす。
スキャンパルスがゲートラインＧＬに印加されれば、ＴＦＴはターンオン(Ｔｕｒｎ−ｏｎ)され、ソース電極とドレーン電極との間にチャンネルを形成し、データラインＤＬ上の電圧を液晶セルＣｌｃの画素電極に供給する。この時、液晶セルＣｌｃの液晶分子は、画素電極と共通電極との間の電界によって配列が変わり、０入射光を変調する。
【０００５】
このような構造のピクセルを備える従来の液晶表示素子の構成は、図２のようである。
図２は、一般の液晶表示素子の構成図である。
図２を参照すれば、一般の液晶表示素子１００は、データラインＤＬｌ〜ＤＬｍとゲートラインＧＬｌ〜ＧＬｎとが交差し、その交差部に液晶セルＣｌｃを駆動するための薄膜トランジスタ(ＴＦＴ : Ｔｈｉｎ  Ｆｉｌｍ  Ｔｒａｎｓｉｓｔｏｒ)が形成された液晶表示パネル１１０と、液晶表示パネル１１０のデータラインＤＬｌ〜ＤＬｍにデータを供給するためのデータ駆動部１２０と、液晶表示パネル１１０のゲートラインＧＬ１〜ＧＬｎにスキャンパルスを供給するためのゲート駆動部１３０と、ガンマ基準電圧を発生し、データ駆動部１２０に供給するためのガンマ基準電圧発生部１４０と、液晶表示パネル１１０に光を照射するためのバックライトアセンブリ１５０と、バックライトアセンブリ１5０に交流電圧及び電流を印加するためのインバータ１６０と、共通電圧Ｖｃｏｍを発生し、液晶表示パネル１１０の液晶セルＣｌｃの共通電極に供給するための共通電圧発生部１７０と、ゲートハイ電圧ＶＧＨとゲートロー電圧ＶＧＬを発生し、ゲート駆動部１３０に供給するためのゲート駆動電圧発生部１８０と、データ駆動部１２０及びゲート駆動部１３０を制御するためのタイミングコントローラ１９０とを備える。
【０００６】
液晶表示パネル１１０は、２枚のガラス基板の間に液晶が注入される。液晶表示パネル１１０の下部ガラス基板上には、データラインＤＬｌ〜ＤＬｍとゲートラインＧＬｌ〜ＧＬｎとが直交する。データラインＤＬｌ〜ＤＬｍとゲートラインＧＬｌ〜ＧＬｎとの交差部には、ＴＦＴが形成される。ＴＦＴは、スキャンパルスに応じて、データラインＤＬｌ〜ＤＬｍ上のデータを液晶セルＣｌｃに供給する。ＴＦＴのゲート電極は、ゲートラインＧＬｌ〜ＧＬｎに接続され、ＴＦＴのソース電極は、データラインＤＬｌ〜ＤＬｍに接続される。また、ＴＦＴのドレーン電極は、液晶セルＣｌｃの画素電極とストレージキャパシタＣｓｔに接続される。
ＴＦＴは、ゲートラインＧＬｌ〜ＧＬｎを経て、ゲート端子に供給されるスキャンパルスに応じて、ターンオンされる。ＴＦＴのターンオンの際に、データラインＤＬｌ〜ＤＬｍ上のビデオデータは、液晶セルＣｌｃの画素電極に供給される。
【０００７】
データ駆動部１２０は、タイミングコントローラ１９０から供給されるデータ駆動制御信号ＤＤＣに応じて、データをデータラインＤＬ１〜ＤＬｍに供給し、タイミングコントローラ１９０から供給されるデジタルビデオデータＲＧＢをサンプリングしてラッチした後、ガンマ基準電圧発生部１４０から供給されるガンマ基準電圧を基準として、液晶表示パネル１１０の液晶セルＣｌｃで階調を表現できるアナログデータ電圧に変換させて、データラインＤＬｌ〜ＤＬｍに供給する。
【０００８】
ゲート駆動部１３０は、タイミングコントローラ１９０から供給されるゲート駆動制御信号ＧＤＣとゲートシフトクロックＧＳＣに応じて、スキャンパルス、即ち、ゲートパルスを順次に発生し、ゲートラインＧＬｌ〜ＧＬｎに供給する。この時、ゲート駆動部１３０は、ゲート駆動電圧発生部１８０から供給されるゲートハイ電圧ＶＧＨとゲートロー電圧ＶＧＬによって、それぞれスキャンパルスのハイレベル電圧とローレベル電圧を決定する。
【０００９】
ガンマ基準電圧発生部１４０は、液晶表示素子１００が装着されるシステム、例えば、テレビのような映像表示機器の制御部(図示せず)から供給される０Ｖ〜３.３Ｖの電源電圧ＶＣＣを供給され、正極性ガンマ基準電圧と負極性ガンマ基準電圧を発生し、データ駆動部１２０に出力する。
【００１０】
バックライトアセンブリ１５０は、液晶表示パネル１１０の背面に配置され、インバータ１６０から供給される交流電圧と電流により発光され、光を液晶表示パネル１１０の各ピクセルに照射する。
【００１１】
インバータ１６０は、内部から発生する方形波信号を三角波信号に変化させた後、三角波信号と、前記システムから供給される直流電源電圧ＶＣＣとを比較し、比較の結果に比例するバーストディミング(Ｂｕｒｓｔ  Ｄｉｍｍｉｎｇ)信号を発生する。このように、内部の方形波信号によって決定されるバーストディミング信号が発生すると、インバータ１６０内で交流電圧と電流の発生を制御する駆動ＩＣ(図示せず)は、バーストディミング信号によって、バックライトアセンブリ１５０に供給される交流電圧と電流の発生を制御する。
【００１２】
共通電圧発生部１７０は、高電位電源電圧ＶＤＤを供給されて共通電圧Ｖｃｏｍを発生し、液晶表示パネル１１０の各ピクセルに備えられた液晶セルＣｌｃの共通電極に供給する。
【００１３】
ゲート駆動電圧発生部１８０は、前記システムから供給される３.３Ｖの電源電圧ＶＣＣを印加され、ゲートハイ電圧ＶＧＨとゲートロー電圧ＶＧＬとを発生させ、ゲート駆動部１３０に供給する。ここで、ゲート駆動電圧発生部１８０は、液晶表示パネル１１０の各ピクセルに備えられたＴＦＴのしきい電圧以上となるゲートハイ電圧ＶＧＨを発生し、ＴＦＴのしきい電圧未満となるゲートロー電圧ＶＧＬを発生する。このようにして発生されたゲートハイ電圧ＶＧＨとゲートロー電圧ＶＧＬとは、それぞれ、ゲート駆動部１３０によって発生されるスキャンパルスのハイレベル電圧とローレベル電圧とを決定するのに利用される。
【００１４】
タイミングコントローラ１９０は、デジタルビデオカード(図示せず)から供給されるデジタルビデオデータＲＧＢをデータ駆動部１２０に供給し、また、クロック信号ＣＬＫに応じて、水平／垂直同期信号Ｈ、Ｖを用いて、データ駆動制御信号ＤＤＣとゲート駆動制御信号ＧＤＣとを発生し、それぞれデータ駆動部１２０とゲート駆動部１３０に供給する。ここで、データ駆動制御信号ＤＤＣは、ソースシフトクロックＳＳＣ、ソーススタートパルスＳＳＰ、極性制御信号ＰＯＬ及びソース出力イネーブル信号ＳＯＥなどを含み、ゲート駆動制御信号ＧＤＣは、ゲートスタートパルスＧＳＰ及びゲート出力イネーブルＧＯＥなどを含む。
【００１５】
前記のような液晶表示素子の場合、多数のデータラインＤＬｌ〜ＤＬｍに供給されるブラック輝度データとホワイト輝度データは、図３ａに示されたように、共通電圧Ｖｃｏｍを基準として、正極性(＋)区間と負極性(−)区間とが対称して二分される方形波の形態で供給されるが、実質、周辺環境及び内部の抵抗成分などによって、ブラック輝度データとホワイト輝度データが変形し、図３ｂに示されたように、方形波の形態で供給されず、ドロップ(Ｄｒｏｐ)が発生する。
【００１６】
このように、ブラック輝度データとホワイト輝度データがドロップされる現象を見ると、図３ｂに示されているように、正極性ブラック輝度データと負極性ブラック輝度データの何れもドロップされるが、正極性ブラック輝度データのドロップデータ△Ｖｐ_Ｂと負極性ブラック輝度データのドロップデータ△Ｖｐ_Ｂの大きさが同一である。また、正極性ホワイト輝度データと負極性ホワイト輝度データの何れもドロップされるが、正極性ホワイト輝度データのドロップデータ△Ｖｐ_Ｗと負極性ホワイト輝度データのドロップデータ△Ｖｐ_Ｗの大きさが同一である。
【００１７】
特に、図３ｂを参照すると、正極性及び負極性のブラック輝度データのドロップデータ△Ｖｐ_Ｂの大きさより、正極性及び負極性のホワイト輝度データのドロップデータ△Ｖｐ_Ｗの大きさが、少なくとも２倍以上大きいということが分かる。
【００１８】
このように、ブラック輝度データとホワイト輝度データがドロップされても、共通電圧Ｖｃｏｍが常に一定に供給されるため、ブラック輝度データによるチャージ量の場合、正極性ブラック輝度データによるチャージ量が、ドロップデータ△Ｖｐ_Ｂの大きさ分減少する反面、負極性ブラック輝度データによるチャージ量は、ドロップデータ△Ｖｐ_Ｂの大きさ分増加する。同様に、正極性ホワイト輝度データによるチャージ量が、ドロップデータ△Ｖｐ_Ｗの大きさ分減少する反面、負極性ホワイト輝度データによるチャージ量は、ドロップデータ△Ｖｐ_Ｗの大きさ分増加する。
【００１９】
このように、ブラック輝度データとホワイト輝度データによるチャージ量が、正極性区間と負極性区間で不均一となり、画面にフリッカーが発生する。特に、図３ｂに示されているように、ブラック輝度データに比べて、ホワイト輝度データの場合、正極性ホワイト輝度データにより、チャージ量が、ドロップデータ△Ｖｐ_Ｗの大きさに比例して非常に減少する反面、負極性ホワイト輝度データにより、チャージ量が、ドロップデータ△Ｖｐ_Ｗの大きさに比例して非常に増加するため、画面にフリッカーが多く発生する問題点があった。
【発明の開示】
【発明が解決しようとする課題】
【００２０】
本発明は、前記のような問題点を解決するためになされたものであって、本発明の目的は、液晶表示パネルに供給されるブラック輝度データ、または、ホワイト輝度データを基準として、相異なるレベルの共通電圧を選択的に供給することができる液晶表示素子の駆動装置及び駆動方法を提供することにある。
【課題を解決するための手段】
【００２１】
上記のような目的を達成するために、本発明に係る液晶表示素子の駆動装置は、複数のデータラインが形成される液晶表示パネルと、前記複数のデータラインに供給されるブラック輝度データの画素数とホワイト輝度データの画素数を検出するための輝度検出手段と、互いにレベルが異なる複数の共通電圧を生成するための第１ないし第ｎの共通電圧生成部を含む共通電圧供給手段と、前記輝度検出手段により検出された前記ブラック輝度データと前記ホワイト輝度データとの画素数の大小を１フレームの間比較し、比較の結果によって前記複数のデータラインに供給される前記ブラック輝度データのレベルまたは前記ホワイト輝度データのレベルを基準として、前記複数の共通電圧中、一つの共通電圧を選択する機能を制御するための制御手段と、前記制御手段により選択的にスイッチされる第１ないし第ｎのスイッチを備え、前記制御手段により複数の共通電圧中、一つの共通電圧を前記液晶表示パネルに提供するスイッチ部と、前記液晶表示パネルからのフィードバック共通電圧の提供を受け前記スイッチ部により選択された共通電圧により補償する共通電圧補償手段とを含み、前記複数の共通電圧は、前記ブラック輝度データのドロップ電圧を防止するために、前記ブラック輝度データのレベルに対応する互いに異なるレベルを有する複数の共通電圧と、前記ホワイト輝度データのドロップ電圧を防止するために、前記ホワイト輝度データのレベルに対応する互いに異なるレベルを有する複数の共通電圧とを含み、前記所定のルックアップテーブルには、前記ブラック輝度データのレベル及びホワイト輝度データのレベルと、前記複数の共通電圧と対応する前記第１ないし第ｎのスイッチに関する情報を含み、前記制御手段は、前記液晶表示パネルに供給するための共通電圧を前記所定のルックアップテーブルから読み取ると同時にスイッチに関する情報も共に読み取り、前記輝度検出手段により検出されたホワイト輝度データの画素数が前記輝度検出手段により検出されたブラック輝度データの画素数より大きいかまたは同一であるとき、前記制御手段は、前記ホワイト輝度データのドロップ電圧を防止するためにホワイト輝度データのレベルを基準として共通電圧を選択するように前記スイッチ部を制御し、前記輝度検出手段により検出されたブラック輝度データの画素数が前記輝度検出手段により検出されたホワイト輝度データの画素数より大きいとき、前記制御手段は、前記ブラック輝度データのドロップ電圧を防止するためにブラック輝度データのレベルを基準として共通電圧を選択するように前記スイッチ部を制御することを特徴とする。
また、本発明に係る液晶表示素子の駆動方法は、
液晶表示パネルに形成された複数のデータラインに、ブラック輝度データとホワイト輝度データを供給するステップと、相異なるレベルの第１〜第ｎまでのｎ個の共通電圧(ｎは、２以上の自然数)を第１〜第ｎまでのｎ個の共通電圧発生部を用いて発生するステップと、前記複数のデータラインに供給されるブラック輝度データの画素数とホワイト輝度データの画素数とを検出するステップと、制御手段を用いて、前記検出したブラック輝度データとホワイト輝度データとの画素数の大小を１フレームの間比較し、比較の結果によって、前記複数のデータラインに供給される前記ブラック輝度データのレベルまたは前記ホワイト輝度データのレベルを基準として、第１ないし第ｎの共通電圧レベルを選択的に前記液晶表示パネルに供給するステップと、前記液晶表示パネルからのフィードバック共通電圧を基準として、前記ｎ個の共通電圧を補償し、補償された当該共通電圧を前記液晶表示パネルに供給するステップとを含み、前記複数の共通電圧は、前記ブラック輝度データのドロップ電圧を防止するために、前記ブラック輝度データのレベルに対応する互いに異なるレベルを有する複数の共通電圧と、前記ホワイト輝度データのドロップ電圧を防止するために、前記ホワイト輝度データのレベルに対応する互いに異なるレベルを有する複数の共通電圧とを含み、前記所定のルックアップテーブルには、前記ブラック輝度データのレベル及びホワイト輝度データのレベルと、前記複数の共通電圧と対応する前記第１ないし第ｎのスイッチに関する情報を含み、前記制御手段は、前記液晶表示パネルに供給するための共通電圧を前記所定のルックアップテーブルから読み取ると同時にスイッチに関する情報も共に読み取り、前記第１ないし第ｎの共通電圧レベルを選択的に前記液晶表示パネルに供給するステップは、前記検出されたホワイト輝度データの画素数が前記検出されたブラック輝度データの画素数より大きいかまたは同一であるとき、前記ホワイト輝度データのドロップ電圧を防止するために前記ホワイト輝度データのレベルを基準として共通電圧を選択することを制御し、前記検出されたブラック輝度データの画素数が前記検出されたホワイト輝度データの画素数より大きいとき、前記ブラック輝度データのドロップ電圧を防止するために前記ブラック輝度データのレベルを基準として共通電圧を選択することを制御する段階をさらに含むことを特徴とする。
【発明の効果】
【００３５】
本発明による液晶表示素子の駆動装置及び駆動方法は、液晶表示パネルに供給されるブラック輝度量が、ホワイト輝度量より多ければ、ブラック輝度データのレベルを基準として共通電圧を供給し、ホワイト輝度量が、ブラック輝度量より多ければ、ホワイト輝度データのレベルを基準として共通電圧を供給することで、共通電圧を基準として二分される正極性ブラック輝度データと負極性ブラック輝度データによるチャージ量を同一にさせると共に、正極性ホワイト輝度データと負極性ホワイト輝度データによるチャージ量を同一にさせて、これにより、画面上にフリッカーの発生を防止することができる。
【発明を実施するための最良の形態】
【００３６】
以下、添付の図面を参照して本発明の望ましい実施の形態を詳しく説明する。
図４は、本発明の実施の形態による液晶表示素子の駆動装置の構成図である。
図４を参照すると、本発明の液晶表示素子の駆動装置２００は、多数のデータラインＤＬｌ〜ＤＬｍが形成される液晶表示パネル２１０と、多数のデータラインＤＬｌ〜ＤＬｍに供給されるブラック輝度成分とホワイト輝度成分を検出するための輝度検出部２２０と、相異なるレベルの第１〜第ｎの共通電圧Ｖｃｏｍ_Ｒｅｆ1〜Ｖｃｏｍ_Ｒｅｆｎを発生して供給するための第１〜第ｎの共通電圧発生部２３０−1〜２３０−ｎと、輝度検出部２２０により検出されたブラック輝度量とホワイト輝度量との大小を比較し、比較の結果によって多数のデータラインＤＬｌ〜ＤＬｍに供給されるブラック輝度データのレベル、または、ホワイト輝度データのレベルを基準として、第１〜第ｎの共通電圧Ｖｃｏｍ_Ｒｅｆ1〜Ｖｃｏｍ_Ｒｅｆｎの選択的な供給を制御するための制御部２４０と、第１〜第ｎの共通電圧Ｖｃｏｍ_Ｒｅｆ１〜Ｖｃｏｍ_Ｒｅｆｎのうち、制御部２４０が供給を指示するレベルの共通電圧Ｖｃｏｍ_Ｒｅｆを液晶表示パネル２１０にスイッチングさせるためのスイッチング部２５０とを備える。
【００３７】
また、本発明は、液晶表示パネル２１０からフィードバックされるフィードバック共通電圧Ｖｃｏｍ_ＦＢを基準として、スイッチング部２５０でスイッチングされる共通電圧Ｖｃｏｍ_Ｒｅｆを補償し、液晶表示パネル２１０に供給する共通電圧補償部２６０をさらに備える。
【００３８】
液晶表示パネル２１０は、多数のデータラインＤＬｌ〜ＤＬｍを介してブラック輝度データとホワイト輝度データを供給され、また、共通電圧補償部２６０により補償された共通電圧Ｖｃｏｍを供給される。
【００３９】
輝度検出部２２０は、多数のデータラインＤＬｌ〜ＤＬｍに供給される各階調のブラック輝度成分とホワイト輝度成分を検出し、制御部２４０に供給する。
【００４０】
第１〜第ｎの共通電圧発生部２３０−１〜２３０−ｎは、高電位電源電圧ＶＤＤが印加され、相異なるレベルの第１〜第ｎの共通電圧Ｖｃｏｍ_Ｒｅｆ１〜Ｖｃｏｍ_Ｒｅｆｎをそれぞれ発生して供給する。このような第１〜第ｎの共通電圧発生部２３０−1〜２３０−ｎの回路構成の詳細は、添付された図５ａ〜図５ｃを参照して後述する。
【００４１】
制御部２４０は、輝度検出部２２０により検出されたブラック輝度量とホワイト輝度量との大小によって、多数のデータラインＤＬｌ〜ＤＬｍに供給されるブラック輝度データのレベル、または、ホワイト輝度データのレベルを基準として、第１〜第ｎの共通電圧Ｖｃｏｍ_Ｒｅｆ１〜Ｖｃｏｍ_Ｒｅｆｎの選択的な供給を次のように制御する。
【００４２】
制御部２４０は、輝度検出部２２０により検出されたブラック輝度成分とホワイト輝度成分が入力されれば、液晶表示パネル２１０に供給された一フレーム間のブラック輝度量とホワイト輝度量との大小を比較する。
【００４３】
比較の結果、図６ａに示されたように、ブラック輝度量が多ければ、制御部２４０は、ブラック輝度データを基準として共通電圧Ｖｃｏｍ_Ｒｅｆのレベルを調節して供給するが、所定のルックアップテーブルを検索し、検出されたブラック輝度データのレベルと対応して設定された共通電圧のレベルを液晶表示パネル２１０に供給するように、スイッチング部２５０を制御する。ここで、所定のルックアップテーブルには、第１〜第ｎの共通電圧Ｖｃｏｍ_Ｒｅｆ１〜Ｖｃｏｍ_Ｒｅｆｎのレベルが構築されており、また、この第１〜第ｎの共通電圧Ｖｃｏｍ_Ｒｅｆ１〜Ｖｃｏｍ_Ｒｅｆｎのレベルと対応してブラック輝度データのレベルが設定される。即ち、制御部２４０は、所定のルックアップテーブルに構築された第１〜第ｎの共通電圧Ｖｃｏｍ_Ｒｅｆ１〜Ｖｃｏｍ_Ｒｅｆｎのレベルのうちから検出された、ブラック輝度データのレベルと対応する共通電圧のレベルを液晶表示パネル２１０に供給する。
【００４４】
比較の結果、図６ｂに示されたように、ホワイト輝度量が多ければ、制御部２４０は、ホワイト輝度データを基準として共通電圧Ｖｃｏｍ_Ｒｅｆのレベルを調節して供給するが、所定のルックアップテーブルを検索し、検出されたホワイト輝度データのレベルと対応して設定された共通電圧のレベルを液晶表示パネル２１０に供給するように、スイッチング部２５０を制御する。ここで、所定のルックアップテーブルには、第１〜第ｎの共通電圧Ｖｃｏｍ_Ｒｅｆ１〜Ｖｃｏｍ_Ｒｅｆｎのレベルが構築されており、また、この第１〜第ｎの共通電圧Ｖｃｏｍ_Ｒｅｆ１〜Ｖｃｏｍ_Ｒｅｆｎのレベルと対応してホワイト輝度データのレベルが設定される。即ち、制御部２４０は、所定のルックアップテーブルに構築された第１〜第ｎの共通電圧Ｖｃｏｍ_Ｒｅｆ１〜Ｖｃｏｍ_Ｒｅｆｎのレベルのうちから検出された、ホワイト輝度データのレベルと対応する共通電圧のレベルを液晶表示パネル２１０に供給する。
【００４５】
比較の結果、ブラック輝度量とホワイト輝度量とが同一である場合、制御部２４０が、ブラック輝度データを基準として共通電圧Ｖｃｏｍ_Ｒｅｆのレベルを調節するように、本発明を具現することもできるが、ホワイト輝度データを基準として共通電圧Ｖｃｏｍ_Ｒｅｆのレベルを調節するように、本発明を具現することが望ましいだろう。
【００４６】
スイッチング部２５０は、第１〜第ｎの共通電圧発生部２３０−１〜２３０−ｎの出力端と共通電圧補償部２６０の入力端との間に並列に連結される第１〜第ｎのスイッチＳＷ１〜ＳＷｎから構成される。第１〜第ｎのスイッチＳＷ１〜ＳＷｎの一方の側は、それぞれ、第１〜第ｎの共通電圧発生部２３０−１〜２３０−ｎの各出力端に連結され、また、第１〜第ｎのスイッチＳＷ１〜ＳＷｎの他方の側は、共通電圧補償部２６０の入力端に共通して連結される。このような接続構造を有する第１〜第ｎのスイッチＳＷ１〜ＳＷｎは、制御部２４０により択一的にスイッチングされる。
【００４７】
例えば、制御部２４０が、多数の共通電圧のレベルのうち、第１の共通電圧Ｖｃｏｍ_Ｒｅｆ１のレベルを供給するように、第１のスイッチＳＷ１をスイッチングさせれば、第１のスイッチＳＷ１は、第１の共通電圧発生部２３０−１から発生される第１の共通電圧Ｖｃｏｍ_Ｒｅｆ１を液晶表示パネル２１０に供給するように、スイッチングされる。制御部２４０が、多数の共通電圧のレベルのうち、第２の共通電圧Ｖｃｏｍ_Ｒｅｆ２のレベルを供給するように第２のスイッチＳＷ２をスイッチングさせれば、第２のスイッチＳＷ２は、第２の共通電圧発生部２３０−２から発生される第２の共通電圧Ｖｃｏｍ_Ｒｅｆ２を液晶表示パネル２１０に供給するように、スイッチングされる。また、制御部２４０が、多数の共通電圧のレベルのうち、第ｎの共通電圧Ｖｃｏｍ_Ｒｅｆｎのレベルを供給するように、第ｎのスイッチＳＷｎをスイッチングさせれば、第ｎのスイッチＳＷｎは、第ｎの共通電圧発生部２３０−ｎから発生される第ｎの共通電圧Ｖｃｏｍ_Ｒｅｆｎを液晶表示パネル２１０に供給するように、スイッチングされる。
【００４８】
このように、制御部２４０が、第１〜第ｎのスイッチＳＷ１〜ＳＷｎを択一的にスイッチングさせることによって、第１〜第ｎの共通電圧発生部２３０−１〜２３０−ｎから発生される第１〜第ｎの共通電圧Ｖｃｏｍ_Ｒｅｆ１〜Ｖｃｏｍ_Ｒｅｆｎのうち、所望の共通電圧のレベルを液晶表示パネル２１０に供給することができるよう、所定のルックアップテーブルに、第１〜第ｎの共通電圧Ｖｃｏｍ_Ｒｅｆ１〜Ｖｃｏｍ_Ｒｅｆｎのレベルと対応して、第１〜第ｎのスイッチＳＷ１〜ＳＷｎに係る情報を、ブラック輝度データのレベル及びホワイト輝度データのレベルと共に設定することが望ましい。これによって、制御部２４０は、液晶表示パネル２１０に供給するための共通電圧のレベルを所定のルックアップテーブルから読み取る際に、スイッチに係る情報も共に読み取ることができる。
【００４９】
共通電圧補償部２６０は、液晶表示パネル２１０からフィードバックされるフィードバック共通電圧Ｖｃｏｍ_ＦＢを基準として、スイッチング部２５０でスイッチングされる共通電圧Ｖｃｏｍ_Ｒｅｆを補償し、液晶表示パネル２１０に供給するためのものであって、これに対する回路構成の詳細は、図７を参照して後述する。
【００５０】
図５ａ〜図５ｃは、それぞれ、本発明による液晶表示素子の駆動装置に備えられる第１、第２及び第ｎの共通電圧発生部２３０−１，２３０−２，２３０−ｎの回路図である。
【００５１】
図５ａを参照すると、第１の共通電圧発生部２３０−１は、電源電圧ＶＤＤと接地との間に、順次、直列に連結された抵抗Ｒ１−1，Ｒ１−２と可変抵抗ＶＲ１とから構成される。そして、第１の共通電圧Ｖｃｏｍ−Ｒｅｆ１は、抵抗Ｒ１−１，Ｒ１−２間に位置した出力ノードＮ１から発生され、このように発生される第１の共通電圧Ｖｃｏｍ−Ｒｅｆ１の大きさは、抵抗Ｒ１−1，Ｒ１−２の抵抗値と可変抵抗ＶＲ１の抵抗値とによって決定される。
【００５２】
図５ｂを参照すると、第２の共通電圧発生部２３０−２は、電源電圧ＶＤＤと接地との間に、順次、直列に連結された抵抗Ｒ２−1，Ｒ２−２と可変抵抗ＶＲ２とから構成される。そして、第２の共通電圧Ｖｃｏｍ−Ｒｅｆ２は、抵抗Ｒ２−1，Ｒ２−２間に位置した出力ノードＮ２から発生され、このように発生される第２の共通電圧Ｖｃｏｍ−Ｒｅｆ２の大きさは、抵抗Ｒ２−1，Ｒ２−２の抵抗値と可変抵抗ＶＲ２の抵抗値とによって決定される。
【００５３】
図５ｃを参照すると、第ｎの共通電圧発生部２３０−ｎは、電源電圧ＶＤＤと接地との間に、順次、直列に連結された抵抗Ｒｎ−1，Ｒｎ−２と可変抵抗ＶＲｎとから構成される。そして、第ｎの共通電圧Ｖｃｏｍ−Ｒｅｆｎは、抵抗Ｒｎ−1，Ｒｎ−２間に位置した出力ノードＮｎから発生され、このように発生される第ｎの共通電圧Ｖｃｏｍ−Ｒｅｆｎの大きさは、抵抗Ｒｎ−1，Ｒｎ−２の抵抗値と可変抵抗ＶＲｎの抵抗値とによって決定される。
【００５４】
以上では、図に示された第１、第２及び第ｎの共通電圧発生部２３０−1、２３０−２、２３０−ｎの回路構成のみを例示的に具現して説明したが、図示していない第３〜第ｎ−1の共通電圧発生部２３０−３〜２３０−(ｎ−1)も、第１、第２及び第ｎの共通電圧発生部２３０−1、２３０−２、２３０−ｎと同様の回路構成を有するが、内部に構成される抵抗値は、相異なって具現される。このように、ｎ個の共通電圧発生部２３０−１，・・・２３０−ｎの内部に構成される抵抗値は、すべて相異なって具現される。
【００５５】
図７は、本発明による液晶表示素子の駆動装置に備えられる共通電圧補償部２６０の回路図である。
【００５６】
図７を参照すると、共通電圧補償部２６０は、反転入力端(−)に入力されるフィードバック共通電圧Ｖｃｏｍ_ＦＢを基準として、非反転入力端(＋)に入力される共通電圧Ｖｃｏｍ_Ｒｅｆを補償して液晶表示パネル２１０に供給するための演算増幅器２６１と、演算増幅器２６１の反転入力端(−)に直列に連結されたキャパシタＣ１及び抵抗Ｒ１０と、比較器２６１の反転入力端(−)と出力側との間に連結された負帰還抵抗Ｒ１１とを備える。
【００５７】
ここで、演算増幅器２６１は、液晶表示パネル２１０からフィードバックされ、反転入力端(−)に入力されるフィードバック共通電圧Ｖｃｏｍ_ＦＢに載せられたリップルを反転させて出力すると共に差動増幅させ、液晶表示パネル２１０に供給する。また、演算増幅器２６１は、液晶表示パネル２１０からフィードバックされ、反転入力端(−)に入力されるフィードバック共通電圧Ｖｃｏｍ_ＦＢを基準として、スイッチング部２５０でスイッチングされる共通電圧Ｖｃｏｍ_Ｒｅｆを補償して液晶表示パネル２１０に供給するが、補償された共通電圧Ｖｃｏｍに、反転されたリップルを載せて供給する。
【００５８】
前記のような構成を有する本発明の液晶表示素子の駆動装置が、多数の共通電圧のレベルを択一的に供給する過程をフローチャートを参照して説明すると、次のようである。
【００５９】
図８は、本発明の実施の形態による液晶表示素子の駆動方法に関するフローチャートである。
図８を参照すると、まず、多数のデータラインＤＬｌ〜ＤＬｍの上に、ブラック輝度データとホワイト輝度データとを供給し、液晶表示パネル２１０に共通電圧Ｖｃｏｍを供給する(Ｓ８０１)。
【００６０】
この時、輝度検出部２２０が、多数のデータラインＤＬｌ〜ＤＬｍに供給される各階調のブラック輝度成分とホワイト輝度成分とを検出し、制御部２４０に供給すると(Ｓ８０２)、制御部２４０は、液晶表示パネル２１０に供給された一フレーム間のブラック輝度量が、ホワイト輝度量より多いか否かを判断する(Ｓ８０３)。
【００６１】
判断の結果、図６ａに示されたように、ブラック輝度量が多ければ、制御部２４０は、所定のルックアップテーブルに構築された第１〜第ｎの共通電圧Ｖｃｏｍ_Ｒｅｆ１〜Ｖｃｏｍ_Ｒｅｆｎのレベルのうちから検出された、ブラック輝度データのレベルと対応して設定された共通電圧Ｖｃｏｍ_Ｒｅｆのレベルが、液晶表示パネル２１０の上に供給されるようにする(Ｓ８０４)。即ち、制御部２４０は、図９に示されたように、ブラック輝度データを基準として、共通電圧Ｖｃｏｍが供給されるようにすることで、ブラック輝度データによるチャージ量が、正極性区間と負極性区間とで均一になるようにして、画面上のフリッカーの発生を防止する。
【００６２】
判断の結果、図６ｂに示されたように、ホワイト輝度量が多ければ、制御部２４０は、所定のルックアップテーブルに構築された第１〜第ｎの共通電圧Ｖｃｏｍ_Ｒｅｆ１〜Ｖｃｏｍ_Ｒｅｆｎのレベルのうちから検出された、ホワイト輝度データのレベルと対応して設定された共通電圧Ｖｃｏｍ_Ｒｅｆのレベルが、液晶表示パネル２１０の上に供給されるようにする(Ｓ８０５)。即ち、制御部２４０は、図９に示されたように、ホワイト輝度データを基準として、共通電圧Ｖｃｏｍが供給されるようにすることで、ホワイト輝度データによるチャージ量が、正極性区間と負極性区間とで均一になるようにして、画面上のフリッカーの発生を防止する。
【００６３】
判断の結果、ブラック輝度量とホワイト輝度量とが同一であれば、制御部２４０は、所定のルックアップテーブルに構築された第１〜第ｎの共通電圧Ｖｃｏｍ_Ｒｅｆ１〜Ｖｃｏｍ_Ｒｅｆｎのレベルのうちから検出された、ホワイト輝度データのレベルと対応して設定された共通電圧Ｖｃｏｍ_Ｒｅｆのレベルが、液晶表示パネル２１０の上に供給されるようにする(Ｓ８０６)。このような場合、制御部２４０が、ブラック輝度データを基準として、共通電圧Ｖｃｏｍ_Ｒｅｆのレベルを調節するように、本発明を具現することもできる。
【００６４】
図１０は、本発明の他の実施の形態による液晶表示素子の駆動装置の構成図である。
図１０を参照すると、本発明の液晶表示素子の駆動装置３００は、多数のデータラインＤＬｌ〜ＤＬｍが形成される液晶表示パネル３１０と、多数のデータラインＤＬｌ〜ＤＬｍに供給されるブラック輝度成分とホワイト輝度成分とを検出するための輝度検出部３２０と、相異なるレベルの第１〜第ｎの共通電圧Ｖｃｏｍｌ〜Ｖｃｏｍｎを発生して供給するための第１〜第ｎの共通電圧発生部３３０−１〜３３０−ｎと、輝度検出部３２０により検出されたブラック輝度量とホワイト輝度量との大小を比較し、比較の結果によって多数のデータラインＤＬｌ〜ＤＬｍに供給されるブラック輝度データのレベル、または、ホワイト輝度データのレベルを基準として、第１〜第ｎの共通電圧Ｖｃｏｍｌ〜Ｖｃｏｍｎの選択的な供給を制御するための制御部３４０と、第１〜第ｎの共通電圧Ｖｃｏｍｌ〜Ｖｃｏｍｎのうち、制御部３４０が供給を指示するレベルの共通電圧Ｖｃｏｍを液晶表示パネル３１０にスイッチングさせるためのスイッチング部３５０とを備える。
【００６５】
液晶表示パネル３１０は、多数のデータラインＤＬｌ〜ＤＬｍを介して、ブラック輝度データとホワイト輝度データを供給される。
【００６６】
輝度検出部３２０は、多数のデータラインＤＬｌ〜ＤＬｍに供給される各階調のブラック輝度成分とホワイト輝度成分を検出し、制御部３４０に供給する。
【００６７】
第１〜第ｎの共通電圧発生部３３０−１〜３３０−ｎは、高電位電源電圧ＶＤＤを印加され、相異なるレベルの第１〜第ｎの共通電圧Ｖｃｏｍ１〜Ｖｃｏｍｎをそれぞれ発生し、供給する。
【００６８】
制御部３４０は、輝度検出部３２０により検出されたブラック輝度量とホワイト輝度量との大小によって、多数のデータラインＤＬｌ〜ＤＬｍに供給されるブラック輝度データのレベル、または、ホワイト輝度データのレベルを基準として、第１〜第ｎの共通電圧Ｖｃｏｍ１〜Ｖｃｏｍｎの選択的な供給を、次に説明するように制御する。
【００６９】
制御部３４０は、輝度検出部３２０により検出されたブラック輝度成分とホワイト輝度成分が入力されれば、液晶表示パネル３１０に供給された一フレーム間のブラック輝度量とホワイト輝度量との大小を比較する。
【００７０】
比較の結果、図６ａに示されたように、ブラック輝度量が多ければ、制御部３４０は、ブラック輝度データを基準として、共通電圧Ｖｃｏｍのレベルを調節して供給するが、所定のルックアップテーブルを検索し、検出されたブラック輝度データのレベルと対応して設定された共通電圧のレベルを液晶表示パネル３１０に供給するように、スイッチング部３５０を制御する。ここで、所定のルックアップテーブルには、第１〜第ｎの共通電圧Ｖｃｏｍｌ〜Ｖｃｏｍｎのレベルが構築されており、また、この第１〜第ｎの共通電圧Ｖｃｏｍｌ〜Ｖｃｏｍｎのレベルと対応して、ブラック輝度データのレベルが設定される。即ち、制御部３４０は、所定のルックアップテーブルに構築された第１〜第ｎの共通電圧Ｖｃｏｍｌ〜Ｖｃｏｍｎのレベルのうちから検出された、ブラック輝度データのレベルと対応する共通電圧のレベルを液晶表示パネル３１０に供給する。
【００７１】
比較の結果、図６ｂに示されたように、ホワイト輝度量が多ければ、制御部３４０は、ホワイト輝度データを基準として、共通電圧Ｖｃｏｍのレベルを調節して供給するが、所定のルックアップテーブルを検索し、検出されたホワイト輝度データのレベルと対応して設定された共通電圧のレベルを液晶表示パネル３１０に供給するよう、スイッチング部３５０を制御する。ここで、所定のルックアップテーブルには、第１〜第ｎの共通電圧Ｖｃｏｍ１〜Ｖｃｏｍｎのレベルが構築されており、また、この第１〜第ｎの共通電圧Ｖｃｏｍｌ〜Ｖｃｏｍｎのレベルと対応してホワイト輝度データのレベルが設定される。即ち、制御部３４０は、所定のルックアップテーブルに構築された第１〜第ｎの共通電圧Ｖｃｏｍｌ〜Ｖｃｏｍｎのレベルのうちから検出された、ホワイト輝度データのレベルと対応する共通電圧のレベルを液晶表示パネル３１０に供給する。
【００７２】
比較の結果、ブラック輝度量とホワイト輝度量が同一である場合、制御部３４０が、ブラック輝度データを基準として、共通電圧Ｖｃｏｍのレベルを調節するように、本発明を具現することもできるが、ホワイト輝度データを基準として、共通電圧Ｖｃｏｍのレベルを調節するように、本発明を具現することが望ましい。
【００７３】
スイッチング部３５０は、第１〜第ｎの共通電圧発生部３３０−1〜３３０−ｎの出力端と液晶表示パネル３１０との間に並列に連結された第１〜第ｎのスイッチＳＷ１〜ＳＷｎとから構成されるが、第１〜第ｎのスイッチＳＷ１〜ＳＷｎの一方の側は、それぞれ第１〜第ｎの共通電圧発生部３３０−1〜３３０−ｎの出力端と対応して連結され、また第１〜第ｎのスイッチＳＷ１〜ＳＷｎの他方の側は、液晶表示パネル３１０に共通して連結される。このような接続構造を有する第１〜第ｎのスイッチＳＷ１〜ＳＷｎは、制御部３４０により択一的にスイッチングされる。
【００７４】
例えば、制御部３４０が、多数の共通電圧のレベルのうち、第１の共通電圧Ｖｃｏｍ１のレベルを供給するように、第１のスイッチＳＷ１をスイッチングさせれば、第１のスイッチＳＷ１は、第１の共通電圧発生部３３０−１から発生される第１の共通電圧Ｖｃｏｍ１を液晶表示パネル３１０に供給するように、スイッチングされる。制御部３４０が、多数の共通電圧のレベルのうち、第２の共通電圧Ｖｃｏｍ２のレベルを供給するように、第２のスイッチＳＷ２をスイッチングさせれば、第２のスイッチＳＷ２は、第２の共通電圧発生部３３０−２から発生される第２の共通電圧Ｖｃｏｍ２を液晶表示パネル３１０に供給するように、スイッチングされる。そして、制御部３４０が、多数の共通電圧のレベルのうち、第ｎの共通電圧Ｖｃｏｍｎのレベルを供給するように、第ｎのスイッチＳＷｎをスイッチングさせれば、第ｎのスイッチＳＷｎは、第ｎの共通電圧発生部３３０−ｎから発生される第ｎの共通電圧Ｖｃｏｍｎを液晶表示パネル３１０に供給するように、スイッチングされる。
【００７５】
このように制御部３４０が、第１〜第ｎのスイッチＳＷ１〜ＳＷｎを択一的にスイッチングさせることで、第１〜第ｎの共通電圧発生部３３０−１〜３３０−ｎから発生される第１〜第ｎの共通電圧Ｖｃｏｍ１〜Ｖｃｏｍｎのうち、所望の共通電圧のレベルを液晶表示パネル３１０に供給することができるように、所定のルックアップテーブルに、第１〜第ｎの共通電圧Ｖｃｏｍｌ〜Ｖｃｏｍｎのレベルと対応して第１〜第ｎのスイッチＳＷ１〜ＳＷｎに係る情報をブラック輝度データのレベル及びホワイト輝度データのレベルと共に設定することが望ましい。これによって、制御部３４０は、液晶表示パネル３１０に供給するための共通電圧のレベルを所定のルックアップテーブルから読み取る際に、スイッチに係る情報も共に読み取ることができる。
【００７６】
以上のように、本発明によれば、液晶表示パネルに供給されるブラック輝度データ、または、ホワイト輝度データを基準として、相異なるレベルの共通電圧を選択的に供給することができる。
【００７７】
また、液晶表示パネルに供給されるブラック輝度量とホワイト輝度量の大小によって、相異なるレベルの共通電圧を選択的に供給することで、共通電圧を基準として二分される正極性ブラック輝度データと負極性ブラック輝度データによるチャージ量を同一にさせることができる。
【００７８】
また、液晶表示パネルに供給されるブラック輝度量とホワイト輝度量の大小によって、相異なるレベルの共通電圧を選択的に供給することで、共通電圧を基準として二分される正極性ホワイト輝度データと負極性ホワイト輝度データによるチャージ量を同一にさせることができる。
【００７９】
さらに、共通電圧を基準として二分される正極性ブラック輝度データと負極性ブラック輝度データによるチャージ量を同一にさせると共に、正極性ホワイト輝度データと負極性ホワイト輝度データによるチャージ量を同一にさせることで、画面上にフリッカーの発生を防止することができる。
【００８０】
本発明の技術思想は、前記望ましい実施の形態によって具体的に記述されているが、前述の実施の形態は、その説明のためのものであり、本発明を制限するものではない。また、本発明の技術分野における知識を有する者であれば、本発明の技術思想の範囲内で種々の実施の形態が可能であることを分かるだろう。
【図面の簡単な説明】
【００８１】
【図１】一般の液晶表示素子に形成されるピクセルの回路図である。
【図２】一般の液晶表示素子の構成図である。
【図３ａ】一般の液晶表示素子の液晶表示パネルに供給される理想的なブラック輝度データとホワイト輝度データの特性図である。
【図３ｂ】従来の液晶表示素子の駆動装置により供給されるブラック輝度データとホワイト輝度データの特性図である。
【図４】本発明の実施の形態による液晶表示素子の駆動装置の構成図である。
【図５ａ】本発明による液晶表示素子の駆動装置に備えられる第１、第２及び第ｎの共通電圧発生部の回路図である。
【図５ｂ】本発明による液晶表示素子の駆動装置に備えられる第１、第２及び第ｎの共通電圧発生部の回路図である。
【図５ｃ】本発明による液晶表示素子の駆動装置に備えられる第１、第２及び第ｎの共通電圧発生部の回路図である。
【図６ａ】本発明による液晶表示素子の駆動装置により検出されたブラック輝度データとホワイト輝度データとの比較状態を示す特性図である。
【図６ｂ】本発明による液晶表示素子の駆動装置により検出されたブラック輝度データとホワイト輝度データとの比較状態を示す特性図である。
【図７】本発明による液晶表示素子の駆動装置に備えられる共通電圧補償部の回路図である。
【図８】本発明の実施の形態による液晶表示素子の駆動方法に対するフローチャートである。
【図９】本発明による液晶表示素子の駆動装置により供給される共通電圧の供給特性を示す特性図である。
【図１０】本発明の他の実施の形態による液晶表示素子の駆動装置の構成図である。
【符号の説明】
【００８２】
２１０  液晶表示パネル、２２０  輝度検出部、２３０−１，２３０−２，２３０−ｎ  共通電圧発生部、２４０  制御部、２５０  スイッチング部。
【図１】
0005242895.tif 000002
【図２】
0005242895.tif 000003
【図３ａ】
0005242895.tif 000004
【図３ｂ】
0005242895.tif 000005
【図４】
0005242895.tif 000006
【図５ａ】
0005242895.tif 000007
【図５ｂ】
0005242895.tif 000008
【図５ｃ】
0005242895.tif 000009
【図６ａ】
0005242895.tif 000010
【図６ｂ】
0005242895.tif 000011
【図７】
0005242895.tif 000012
【図８】
0005242895.tif 000013
【図９】
0005242895.tif 000014
【図１０】
0005242895.tif 000015